(57)【要約】  底部プレートと、底縁部に沿って底部プレートの前縁部に結合された前部プレートと、底部プレートと頂部プレートとの間に経路が形成されるように前縁部に沿って前部プレートの頂縁部に結合された頂部プレートと、下側縁部に沿って頂部プレートの後縁部に結合された垂直停止プレートと、経路の長手に対して垂直に延びる、経路の内側表面に結合されたハットチャンネルと、頂部プレートの底部表面に隣接する、ハットチャンネルの内部の埋込材と、を含み得る例示の装置が開示される。閉鎖片を床パネルに結合することと、レールをこの閉鎖片に結合することと、を含み得る例示の方法が開示される。
2016536495.tif 000002
【特許請求の範囲】
【請求項１】
底部プレートと、
底縁部に沿って前記底部プレートの前縁部に結合された前部プレートと、
前記底部プレートと頂部プレートとの間に経路が形成されるように、前縁部に沿って前記前部プレートの頂縁部に結合された頂部プレートと、
下側縁部に沿って前記頂部プレートの後縁部に結合された垂直停止プレートと、
前記経路の長手に対して垂直に延びる、前記経路の内側表面に結合されたハットチャンネルと、
前記頂部プレートの底部表面に隣接する、前記ハットチャンネルの内部の埋込材と、
を備える装置。
【請求項２】
前記埋込材が発泡体を備える、請求項１に記載の装置。
【請求項３】
前記発泡体が１インチの厚さを有する、請求項２に記載の装置。
【請求項４】
前記底部プレート、前記前部プレート、および前記頂部プレートが直角を成して結合される、請求項１に記載の装置。
【請求項５】
前記経路の前記内側表面に結合された複数のハットチャンネルをさらに備える、請求項１に記載の装置。
【請求項６】
前記複数のハットチャンネルが前記経路の前記長手に沿って２フィートの間隔で離間される、請求項５に記載の装置。
【請求項７】
前記底部プレートが、前記底部プレートを床パネルに結合するように構成された開口部をさらに備える、請求項１に記載の装置。
【請求項８】
前記頂部プレートに結合されたレールをさらに備える、請求項１に記載の装置。
【請求項９】
前記レールが前記埋込材の中に少なくとも部分的に埋め込まれた固定具によって前記頂部プレートに結合される、請求項８に記載の装置。
【請求項１０】
敷板を含む床パネルに閉鎖片を結合することと、
前記敷板の上におよび前記閉鎖片の中にコンクリートを流し込んで前記床パネル上にコンクリート床を形成することと、
前記閉鎖片が埋込材の一部分を覆う場所において固定具を前記閉鎖片に取り付けることによって、レールを前記閉鎖片の上側表面に結合することであって、前記レールの上側表面が前記コンクリート床の上側表面と面一である、結合することと、
を含む方法。
【請求項１１】
前記閉鎖片が前記床パネルとＣチャンネルとの間の距離にわたってまたがる、請求項１０に記載の方法。
【請求項１２】
前記閉鎖片が前記床パネルとバルコニーとの間の距離にわたってまたがる、請求項１０に記載の方法。
【請求項１３】
前記レールの前記上側表面が前記バルコニーの上側表面よりも４分の１インチ未満だけ高い、請求項１２に記載の方法。
【請求項１４】
前記閉鎖片が、前記コンクリートが前記閉鎖片の前記上側表面上に流れるのを防止するための停止プレートを含む、請求項１０に記載の方法。
【請求項１５】
前記床パネルが前記敷板の下に少なくとも１つの根太を含む、請求項１０に記載の方法。
【請求項１６】
前記閉鎖片の一部分が前記床パネルの前記根太と前記敷板との間にある、請求項１５に記載の方法。
【請求項１７】
前記閉鎖片を引き込んで、前記床パネルの前記根太と前記敷板との間にある前記閉鎖片の前記一部分が前記敷板の下にあるようにすることと、
前記床パネルをＣチャンネルに固定することと、
前記コンクリートを流し込む前に、前記閉鎖片を延長して前記床パネルと前記Ｃチャンネルとの間の距離にわたってまたがるようにすることと、
をさらに含む、請求項１６に記載の方法。
【請求項１８】
少なくとも１つの根太、および
床パネルの上側表面を形成するデッキ
を備える床パネルと、
底部プレート、
底縁部に沿って前記底部プレートの前縁部に結合された前部プレート、
前縁部に沿って前記前部プレートの頂縁部に結合された頂部プレート、
下側縁部に沿って前記頂部プレートの後縁部に結合された垂直停止プレート、
閉鎖片の長手に対して垂直に延びる、前記頂部プレートと前記底部プレートとの間のハットチャンネル、および
前記頂部プレートの底部表面に隣接する、前記ハットチャンネルの内部の埋込材
を含む、前記床パネルに結合された閉鎖片と、
前記閉鎖片の前記頂部プレートの上側表面に結合されたレールと、
を備えるシステム。
【請求項１９】
前記床パネルの前記デッキの上におよび前記閉鎖片の前記頂部プレートと前記底部プレートとの間に流し込まれたコンクリート床をさらに備える、請求項１８に記載のシステム。
【請求項２０】
前記コンクリート床が前記垂直停止プレートの上側縁部と同じ高さである、請求項１９に記載のシステム。
【請求項２１】
前記閉鎖片の前記前部プレートに隣接するバルコニーをさらに備える、請求項１８に記載のシステム。
【請求項２２】
前記閉鎖片が前記床パネルに結合され、前記底部プレートが前記少なくとも１つの根太と前記デッキとの間にある、請求項１８に記載のシステム。
【請求項２３】
前記閉鎖片が前記床パネルにスライド可能に結合される、請求項１８に記載のシステム。
【発明の詳細な説明】
【背景技術】
【０００１】
建築物は、その建築物の外部に対して開かれているスライド式のドアまたは壁を含む場合がある。スライド式のドアまたは壁は、１つまたは複数の可動パネルで構成することができる。パネルは、パネルの位置合わせおよび移動を容易にするために、レール（track）内に嵌合することができる。建築物は内装のコンクリート床を含み得る。スライド式のドアまたは壁はさらに、コンクリートの外部表面、たとえばバルコニーまたは中庭に対して開かれている場合がある。スライド式のドアまたは壁のためのレールを直接内部の床に設置することにより、表面間で高さの違いが生じる場合があり、このことは困難、たとえば障害をもつ人にとって困難をもたらし得る。レールは、車いすのその敷居を横断する能力を妨げる高さである場合がある。レールを直接外部の床に設置することにより、同様の困難がもたらされ得る。さらに、レールをコンクリート表面上に設置することは、追加の作業および／または専用の固定具を必要とする場合がある。
【発明の概要】
【課題を解決するための手段】
【０００２】
スライド式のドアおよび／または窓のレールのより容易な設置を可能とすることができ、またレールが床および／または他の表面と実質的に同じ高さとなることを可能とすることができる、装置、方法、およびシステムを含む技法が、一般に記載される。レールを床および／または他の表面と実質的に同じ高さとすることにより、レールにおいて、人、荷車、および／または車いすが横断するのが容易な接合部を提供することができる。この接合部により、障害者のアクセシビリティに関する法令の遵守を、さらに可能とすることができる。例示の装置は、底部プレートと、底縁部に沿って底部プレートの前縁部に結合された前部プレートと、底部プレートと頂部プレートとの間に経路が形成され得るように前縁部に沿って前部プレートの頂縁部に結合された頂部プレートと、下側縁部に沿って頂部プレートの後縁部に結合された垂直停止プレートと、経路の長手に対して垂直に延び得る、経路の内側表面に結合されたハットチャンネルと、頂部プレートの底部表面に隣接し得る、ハットチャンネルの内部の埋込材と、を含み得る。
【０００３】
いくつかの実施形態では、埋込材は発泡体（foam）を備え得る。いくつかの実施形態では、発泡体は１インチの厚さを有し得る。
【０００４】
いくつかの実施形態では、底部プレート、前部プレート、および頂部プレートは、直角を成して結合され得る。
【０００５】
いくつかの実施形態では、装置は、経路の内側表面に結合された複数のハットチャンネルをさらに含み得る。いくつかの実施形態では、複数のハットチャンネルは、経路の長手に沿って２フィートの間隔で離間され得る。
【０００６】
いくつかの実施形態では、底部プレートは、底部プレートを床パネルに結合するように構成された開口部をさらに備え得る。
【０００７】
いくつかの実施形態では、装置は、頂部プレートに結合されたレールをさらに含み得る。いくつかの実施形態では、レールは、埋込材の中に少なくとも部分的に埋め込まれた固定具によって、頂部プレートに結合され得る。
【０００８】
例示の方法は、敷板（decking）を含み得る床パネルに閉鎖片（closure piece）を結合することと、敷板の上におよび閉鎖片の中にコンクリートを流し込んで床パネル上にコンクリート床を形成することと、閉鎖片が埋込材の一部分を覆う場所において固定具を閉鎖片に取り付けることによって、レールを閉鎖片の上側表面に結合することであって、レールの上側表面がコンクリート床の上側表面と面一であり得る、結合することと、を含み得る。
【０００９】
いくつかの実施形態では、閉鎖片は床パネルとＣチャンネルとの間の距離にわたってまたがり得る。
【００１０】
いくつかの実施形態では、閉鎖片は床パネルとバルコニーとの間の距離にわたってまたがり得る。
【００１１】
いくつかの実施形態では、レールの上側表面は、４分の１インチ未満だけバルコニーの上側表面よりも高い。
【００１２】
いくつかの実施形態では、閉鎖片は、コンクリートが閉鎖片の上側表面上に流れるのを防止するための停止プレートを含み得る。
【００１３】
いくつかの実施形態では、床パネルは、敷板の下に少なくとも１つの根太を含み得る。いくつかの実施形態では、閉鎖片の一部分は、床パネルの根太と敷板との間に存在し得る。いくつかの実施形態では、方法は、床パネルの根太と敷板との間の閉鎖片の一部分が敷板の下にあり得るように閉鎖片を引き込むことと、床パネルをＣチャンネルに固定することと、コンクリートを流し込む前に閉鎖片を延長して床パネルとＣチャンネルとの間の距離にわたってまたがるようにすることと、をさらに含み得る。
【００１４】
例示のシステムは床パネルを含むことができ、この床パネルは、少なくとも１つの根太および床パネルの上側表面を形成し得るデッキ（deck）を含み得る。システムは、床パネルに結合され得る閉鎖片を含むことができ、閉鎖片は、底部プレートと、底縁部に沿って底部プレートの前縁部に結合された前部プレートと、前縁部に沿って前部プレートの頂縁部に結合された頂部プレートと、下側縁部に沿って頂部プレートの後縁部に結合された垂直停止プレートと、閉鎖片の長手に対して垂直に延び得る、頂部プレートと底部プレートとの間のハットチャンネルと、頂部プレートの底部表面に隣接し得る、ハットチャンネルの内部の埋込材と、を含み得る。システムは、閉鎖片の頂部プレートの上側表面に結合され得るレールをさらに含み得る。
【００１５】
いくつかの実施形態では、システムは、床パネルのデッキの上にかつ閉鎖片の頂部プレートと底部プレートとの間に流し込まれたコンクリート床をさらに含み得る。いくつかの実施形態では、コンクリート床は、垂直停止プレートの上側縁部と同じ高さとすることができる。
【００１６】
いくつかの実施形態では、システムは、閉鎖片の前部プレートに隣接するバルコニーをさらに備え得る。
【００１７】
いくつかの実施形態では、底部プレートが少なくとも１つの根太とデッキとの間にある閉鎖片を、床パネルに結合することができる。
【００１８】
いくつかの実施形態では、閉鎖片を床パネルにスライド可能に結合することができる。
【００１９】
先述の概要は例示的なものに過ぎず、いかなる点においても限定的であることは意図されていない。上記の例示的な態様、実施形態、および特徴に加えて、さらなる態様、実施形態、および特徴が、図面および続く発明を実施するための形態を参照することによって明らかになるであろう。
【００２０】
本開示の先述のおよび他の特徴が、添付の図面と併せて解釈される続く説明および付随する特許請求の範囲から、より完全に明らかになるであろう。これらの図面は本開示による実施形態のいくつかを描いているに過ぎず、したがって、本開示の範囲を限定するものと見なすべきではないということを理解して、本開示は、添付の図面を使用してさらに具体的かつ詳細に記載される。
【図面の簡単な説明】
【００２１】
【図１Ａ】例示の閉鎖片を側面視した概略図である。
【図１Ｂ】例示の閉鎖片を正面視した概略図である。
【図１Ｃ】例示の閉鎖片を背面視した概略図である。
【図２】例示のハットチャンネルを背面視した概略図である。
【図３】例示の床パネルの概略図である。
【図４】流し込まれたコンクリートを伴う、例示の床パネルに結合された例示の閉鎖片を側面視した概略図である。
【図５Ａ】例示の床パネルの例示の敷板と例示の根太との間に結合された、引き込まれた位置にある例示の閉鎖片を側面視した概略図である。
【図５Ｂ】例示の床パネルの例示の敷板と例示の根太との間に結合された、延長された位置にある例示の閉鎖片を側面視した概略図である。
【図６】例示のスライド可能な接続部を頂面視した概略図である。
【図７】例示の床パネルに結合された例示の閉鎖片の概略図である。
【図８】例示のレールが閉鎖片に結合された状態の、流し込まれたコンクリートを伴う、例示の床パネルに結合された例示の閉鎖片を側面視した概略図である。
【図９】例示の方法を示すフローチャートである。
【発明を実施するための形態】
【００２２】
これらの図面は全て、本開示の少なくともいくつかの実施形態に従って配置構成される。
【００２３】
以下の発明を実施するための形態では、本明細書の一部を形成する添付の図面を参照する。文脈がそうではないと規定しない限りは、図面において、同様の記号は通常は同様の構成要素を識別する。発明を実施するための形態、図面、および特許請求の範囲において記載される例示的な実施形態は、限定的であることを意図していない。本明細書に提示する主題の趣旨または範囲から逸脱することなく、他の実施形態を利用することができ、また、他の変更を行うことができる。本明細書に一般に記載されかつ図面に例示されるような、本開示の態様を、多種多様な異なる構成で配置構成し、置換し、組み合わせ、分離し、また設計することができることが、容易に理解されるであろう。これらは全て本明細書において暗黙のうちに企図される。
【００２４】
本開示はとりわけ、スライド式のドアおよび／または窓のレールのより容易な設置を可能にし得るとともに、レールが床および／または他の表面と実質的に同じ高さになることを可能にし得る、方法、システム、製品、デバイス、および／または装置に向けられる。レールを床および／または他の表面と実質的に同じ高さとすることにより、レールにおいて、人、荷車、および／または車いすが横断するのが容易な接合部を提供することができる。この接合部により、障害者のアクセシビリティに関する法令の遵守を、さらに可能とすることができる。本開示はとりわけ、底部プレートと、底縁部に沿って底部プレートの前縁部に結合された前部プレートと、底部プレートと頂部プレートとの間に経路が形成され得るように前縁部に沿って前部プレートの頂縁部に結合された頂部プレートと、下側縁部に沿って頂部プレートの後縁部に結合された垂直停止プレートと、経路の長手に対して垂直に延びる、経路の内側表面に結合されたハットチャンネルと、頂部プレートの底部表面に隣接する、ハットチャンネルの内部の埋込材とを含み得る装置に一般に関する、方法、システム、製品、デバイス、および／または装置に向けられる。
【００２５】
いくつかの実施形態では、未硬化のコンクリート、発泡体、または他の材料を所望の形状または空間の中に導くために、型枠を使用することができる。いくつかの実施形態では、型枠は成形型枠として機能し得る。いくつかの実施形態では、型枠は、材料が硬化した後で構造の機能的な一部品として使用されるように設計され得る。型枠は、床の縁部として機能するようにかつ床と別の表面または構造との間の間隙にまたがるように、構成され得る。すなわち、型枠は、これら２つの間の間隙を閉じることができる。型枠は、いくつかの実施形態では閉鎖片として機能し得る。
【００２６】
閉鎖片は、床と、別の表面または構造、たとえば中庭またはバルコニーとの間の、接合部とすることができる。いくつかの実施形態では、この接合部において、スライド式のドアおよび／または壁が望ましい場合がある。スライド式のドアおよび／または壁は、レール内でスライドし得る。いくつかの実施形態では、閉鎖片は、接合部におけるレールの設置を可能にするように構成され得る。
【００２７】
いくつかの実施形態では、閉鎖片は、コンクリートにドリルで穴を開けることなくレールを設置することを可能にし得る、埋込材を含み得る。いくつかの実施形態では、埋込材は、コンクリートが閉鎖片の複数の部分の中に入ることを阻止し得る。いくつかの実施形態では、埋込材は固定具を確実に保持するように構成され得る。いくつかの実施形態では、コンクリートが硬化した後であっても、固定具を埋込材の中に固定することによってレールを設置し得る。このことにより、いくつかの実施形態においてレールのより容易な設置を可能にし得るとともに、コンクリート床を損傷するリスクを低減し得る。
【００２８】
いくつかの実施形態では、閉鎖片は、その側方フランジの１つを取り除くかまたは真っ直ぐにして、ハットチャンネルのような外見となるように構成され得る。いくつかの実施形態では、閉鎖片をその側部を下にして置いて、残るフランジが上方を指すようにしてよい。フランジは、コンクリートおよび／または他の未硬化の材料が閉鎖片の上に流れるのを防止するための、垂直停止プレートとして機能し得る。閉鎖片は、閉鎖片の内部により小さいハットチャンネルをさらに含み得る。ハットチャンネルは、閉鎖片の長手に対して垂直に延びることができる。ハットチャンネルは、ポリスチレンフォームなどの埋込材を閉鎖片の中に固定し得る。コンクリートが閉鎖片の中に流し込まれるとき、コンクリートは、埋込材が固定される場所を除き、その閉鎖片を実質的に満たすことができる。レールは次いで、垂直停止プレートに押し付けるように閉鎖片の上に載置され、埋込材の場所において閉鎖片に固着され得る
【００２９】
いくつかの実施形態では、床パネルおよびパネルレール接合部システムの材料組成は、主として鋼とすることができる。いくつかの実施形態では、この組成は主としてアルミニウムとすることができる。さらに他の実施形態では、システムの構成要素は、金属および／または金属合金から、木材および木材ポリマー複合材（ＷＰＣ）、木材系生成物（リグニン）、他の有機建築材料（竹材）まで、有機ポリマー（プラスチック）まで、ハイブリッド材料、またはセラミックなどの陶製材料までの範囲にわたる、建築に好適な様々な材料から製作することができる。いくつかの実施形態では、セメントまたは他の流し込み可能もしくは成形可能な建築材料を使用することもできる。他の実施形態では、好適な建築材料の任意の組み合わせは、システムのある複数の要素に対してある建築材料を、またシステムの他の複数の要素に対して他の建築材料を使用することによって、行うことができる。任意の材料の選択を、任意選択材料の参考文献（米国国際建築基準（Ｉｎｔｅｒｎａｔｉｏｎａｌ  Ｂｕｉｌｄｉｎｇ  Ｃｏｄｅ）において提供されているものなど）から行うことができ、または、この選択は、建築されることになる構造物に関する耐荷要件を決定するときに当業者の知識に基づいて行うことができる。より大きいかつ／またはより高い構造物は、より小さいかつ／または低い建築物よりも大きな物理的強度要件を有し得る。構造のサイズ、荷重、および環境応力に対応するための建築材料の調整は、本明細書に記載のシステムにおける全ての構成要素に関して使用される建築材料の、最適な経済的選択肢を決定し得る。世界の異なる地域における様々な建築材料の可用性も、本明細書に記載のシステムを建築するための材料の選択に影響し得る。米国国際建築基準または類似の基準の採用も、材料の選択に影響し得る。
【００３０】
本明細書で「金属」に言及する場合はいずれも、本明細書に記載のシステムおよび構成要素の製造および／または建設に好適であり得るような、任意の建設グレードの金属または金属合金を含む。「木材」に言及する場合はいずれも、木材、木材積層製品、木材プレス製品、木材ポリマー複合材（ＷＰＣ）、竹材または竹材関連製品、リグニン製品、および、化学処理したもの、精製したもの、加工したもの、または単に植物から収穫したものを問わず、任意の植物由来製品を含む。本明細書で「コンクリート」に言及する場合はいずれも、セメント、水、および粒状の骨材を含む任意の建設グレードの硬化性複合材を含む。粒状の骨材には、砂、砂利、ポリマー、灰、および／または他の鉱物を含めることができる。
【００３１】
ここで図面に目を向けると、図１Ａは、本明細書に記載の少なくともいくつかの実施形態に従って配置構成された、例示の閉鎖片１００を側面視した概略図を示す。図１Ａは、頂部プレート１１０に結合された停止プレート１０５を示し、頂部プレート１１０は前部プレート１１５に結合され、また前部プレート１１５は底部プレート１２０に結合される。閉鎖片１００は、ハットチャンネル１２５およびこのハットチャンネル１２５の中の埋込材１３０をさらに含む。図１Ａに記載の様々な構成要素は単なる実施形態であり、構成要素の除去、構成要素の組み合わせ、および構成要素の置換を含め、他の変形形態が全て企図される。
【００３２】
プレート１０５、１１０、１１５、１２０およびハットチャンネル１２５は、いくつかの実施形態では、アルミニウムまたは鋼などの金属材料を使用して実施され得る。いくつかの実施形態では、プレート１０５、１１０、１１５、１２０およびハットチャンネル１２５は、１８〜２０ゲージの冷間圧延鋼を使用して実施され得る。いくつかの実施形態では、鋼に焼き付け塗装仕上げを施してもよい。プレートおよび／またはハットチャンネル用に、ポリマーまたはポリマー複合材料などの他の材料も使用できる。いくつかの実施形態では、プレート１０５、１１０、１１５、１２０のために、ハットチャンネル１２５と異なる材料を使用できる。
【００３３】
プレート１０５、１１０、１１５、１２０を、これらが実質上の直角を形成するように結合することができる。本明細書で使用される場合、実質上の直角とは、２つの要素の間に形成された、９０度プラスまたはマイナス最大約１５度である角度を指す。プレート１１０、１１５、１２０は、プレート１１０、１１５、１２０の長手に延びる経路を画定し得る。いくつかの実施形態では、頂部プレート１１０は、前部プレート１１５から垂直停止プレート１０５まで、９インチの幅とすることができる。頂部プレート１１０は、いくつかの実施形態では異なる幅を有してよい。いくつかの実施形態では、頂部プレートの幅は、設置されるべきレールの幅によって少なくとも部分的に決定され得る。いくつかの実施形態では、垂直停止プレート１１５は、頂部プレート１１０の上方に２インチ延長し得る。いくつかの実施形態では、垂直停止プレート１１５は、頂部プレートの上方に３インチ延長し得る。垂直停止プレート１１５の他の高さが可能であり得る。いくつかの実施形態では、垂直停止プレートの高さは、設置されるべきレールの高さによって少なくとも部分的に決定され得る。いくつかの実施形態では、底部プレート１２０は、前部プレート１１５から垂直停止プレート１０５を越える距離まで延長し得る。底部プレートは、閉鎖片を床パネル（図１Ａには図示せず）に結合するための開口部（図示せず）をさらに含み得る。
【００３４】
ハットチャンネル１２５は、プレート１１０、１１５、および１２０によって画定される経路に対して垂直に延びるように構成され得る。いくつかの実施形態では、ハットチャンネル１２５は、前部プレート１１５から、垂直停止プレート１０５が結合される場所である頂部プレート１１０の後縁部まで延びることができる。いくつかの実施形態では、図１Ａの実施形態に示すように、ハットチャンネル１２５は、前部プレート１０５から頂部プレートの後縁部までの長手の一部分にのみ架かる。ハットチャンネル１２５を、頂部プレート１１０、底部プレート１２０、前部プレート１１５、またはこれらの組み合わせに結合することができる。閉鎖片は、いくつかの実施形態では複数のハットチャンネルを含み得る。ハットチャンネルは、経路の長手に沿って一定の間隔、たとえば２フィートの間隔で離間され得る。他の離間間隔も使用できる。いくつかの実施形態では、ハットチャンネルは、１フィートの中央間隔で（at one foot centers）離間され得る。いくつかの実施形態では、ハットチャンネルは、１８インチの中央間隔で離間され得る。いくつかの実施形態では、ハットチャンネル同士の間の離間間隔は、設置されるべきレールの固定具の離間間隔によって少なくとも部分的に決定され得る。
【００３５】
ハットチャンネル１２５の中の埋込材１３０は、頂部プレート１１０の底部表面に隣接し得る。いくつかの実施形態では、埋込材は、発泡体、繊維板、ポリマー材料、および／または複数の材料の複合材であってよい。埋込材１３０は、固定具（図１Ａには図示せず）を受け入れ可能であり得る。たとえば、埋込材１３０は、この埋込材が従来の工事現場用機器を用いて中に固着可能であり得るように、かつ固定具を保持できるように、選択され得る。
【００３６】
図１Ｂは、本明細書に記載の少なくともいくつかの実施形態に従って配置構成された、例示の閉鎖片１００を正面視した概略図を示す。図１Ｂは、頂部プレート１１０に結合された停止プレート１０５を示し、頂部プレート１１０は前部プレート１１５に結合され、また前部プレート１１５は底部プレート１２０に結合される。閉鎖片１００は、２つのハットチャンネル１２５およびこのハットチャンネル１２５の中の埋込材１３０をさらに含む。図１Ｂに記載の様々な構成要素は単なる実施形態であり、構成要素の除去、構成要素の組み合わせ、および構成要素の置換を含め、他の変形形態が全て企図される。いくつかの実施形態では、垂直停止プレート１０５を除去することができる。いくつかの実施形態では、ハットチャンネル１２５を除去することができる。ハットチャンネル１２５が除去され得るとき、埋込材１３０は、頂部プレート１１０から底部プレート１２０まで延長することができ、また頂部プレート１１０および／または底部プレート１２０に結合することができる。
【００３７】
図１Ｃは、本明細書に記載の少なくともいくつかの実施形態に従って配置構成された、例示の閉鎖片１００を背面視した概略図を示す。図１Ｃは、頂部プレート１１０に結合された停止プレート１０５を示し、頂部プレート１１０は前部プレート１１５に結合され、また前部プレート１１５は底部プレート１２０に結合される。閉鎖片１００は、２つのハットチャンネル１２５およびこのハットチャンネル１２５の中の埋込材１３０をさらに含む。図１Ｃに記載の様々な構成要素は単なる実施形態であり、構成要素の除去、構成要素の組み合わせ、および構成要素の置換を含め、他の変形形態が全て企図される。
【００３８】
図２は、本明細書に記載の少なくともいくつかの実施形態に従って配置構成された、例示のハットチャンネル２２５を背面視した概略図を示す。ハットチャンネル２２５は両側に、ハットチャンネル２２５の長手に延びるフランジ２０５を有することができる。フランジ２０５は、側部プレート２１０の頂縁部に結合することができ、この側部プレート２１０は基部プレート２１５に結合される。ハットチャンネル２２５は、側部プレート２１０同士の間に、埋込材２３０も含み得る。図２に記載の様々な構成要素は単なる実施形態であり、構成要素の除去、構成要素の組み合わせ、および構成要素の置換を含め、他の変形形態が全て企図される。
【００３９】
いくつかの実施形態では、フランジ２０５および／または基部プレート２１５は、ハットチャンネル２２５を閉鎖片１００に結合するために使用することができる。
【００４０】
いくつかの実施形態では、埋込材２３０は１インチの厚さを有してよい。いくつかの実施形態では、埋込材２３０は１インチ未満の厚さを有してよい。いくつかの実施形態では、埋込材２３０は１インチより大きい厚さを有する。いくつかの実施形態では、埋込材２３０は、ハットチャンネル２２５を完全に満たしてよい。
【００４１】
図３は、本明細書に記載の少なくともいくつかの実施形態に従って配置構成された、例示の床パネル３００の概略図を示す。床パネル３００は、デッキ３０５、根太３１０、および対向する端部部材３１５を含む。図３に示す様々な構成要素は単なる実施形態であり、構成要素の除去、構成要素の組み合わせ、および構成要素の置換を含め、他の変形形態が全て企図される。いくつかの実施形態では、床天井サンドイッチパネルを使用することができる。
【００４２】
複数の根太３１０および／または対向する端部部材３１５は、図３に示すようにフレームを形成し得る。根太３１０は、床を支持するために、対向する端部部材３１５の間の距離に架かる水平な支持部材を形成し得る。根太３１０は、端部部材３１５に対して概ね垂直に配向され得る。本明細書で使用される場合、概ね垂直とは、２つ以上の要素の間に形成される角度が、９０度プラスまたはマイナス最大約１５度であることを意味するために使用される。いくつかの実施形態では、端部部材３１５は存在しない場合がある。いくつかの実施形態では、フレームは、耐火性、構造強度、重量軽減、または他の要因のため、アルミニウムまたは鋼などの金属材料で形成され得る。いくつかの実施形態では、根太３１０および／または端部部材３１５は、木材で形成され得る。
【００４３】
根太３１０は、端部部材３１５の長手に沿って、互いから一定の間隔で離間され得る。たとえば、根太３１０は、端部部材３１５の長手に沿って、２フィートの中央間隔で離間され得る。根太３１０、端部部材３１５、または両方の、個数、寸法、または両方は、特定の建築物のパラメータに適合するように変動し得る。いくつかの実施形態では、ただ１つの根太３１０が使用され得る。いくつかの実施形態では、また図３に示すように、フレームは、５つの根太３１０および２つの端部部材３１５を含み得る。いくつかの実施形態では、フレームは、高さ約１０インチ、幅約８フィート、長さ約２２フィートとすることができる。いくつかの実施形態では、根太３１０は、高さ約１０インチ、長さ約２２フィートである。いくつかの実施形態では、端部部材３１５は、高さ約１０インチ、長さ約８フィートである。いくつかの実施形態では、床パネル３００はおおよそ、幅２フィート、長さ２２フィートとすることができる。いくつかの実施形態では、床パネル３００はおおよそ、幅８フィート、長さ１２フィートとすることができる。いくつかの実施形態では、床パネル３００を複数の床パネルに結合して、この結果、結合された床パネルが、単一の床パネルの役割を果たし得る一体化されたユニットとなるようにすることができる。いくつかの実施形態では、床パネル３００は矩形でなくてよい。いくつかの実施形態では、床パネル３００は三角形、くさび形状、または別の形状であってよい。床パネル３００の形状は、建築物の所望の間取りによって少なくとも部分的に決定され得る。
【００４４】
デッキ３０５をフレームの上方に配設し、フレームに取り付けることができる。いくつかの実施形態では、また図３に示すように、デッキ３０５は波形の型枠用デッキであってよい。いくつかの実施形態では、デッキ３０５は、複数の根太３１０、端部部材３１５またはこれらの両方の上方に配設され、かつこれらに取り付けられ得る。デッキ３０５は、頂部を形成するコンクリート製のスラブ（図３には図示せず）のための、支持基板を形成し得る。デッキ３０５は、フレームの全長および全幅に延長して床パネル３００の上側を覆うことができる。いくつかの実施形態では、デッキ３０５は、アルミニウムまたは鋼などの金属材料で形成され得る。いくつかの実施形態では、デッキ３０５は、１．５インチの波形の鋼製型枠用デッキであり、このデッキはねじ留めなどでフレームの頂部に固着されて二次床を形成する。いくつかの実施形態では、デッキ３０５は合板パネルであってよく、このパネルはフレームの頂部に固着されて二次床を形成してよい。
【００４５】
図４は、本明細書に記載の少なくともいくつかの実施形態に従って配置構成された、流し込まれたコンクリート４００を伴う、例示の床パネル４１５に結合された例示の閉鎖片４４５を側面視した概略図を示す。図４は、床パネル４１５に結合された閉鎖片４４５を示す。図４に示す様々な構成要素は単なる実施形態であり、構成要素の除去、構成要素の組み合わせ、および構成要素の置換を含め、他の変形形態が全て企図される。
【００４６】
閉鎖片４４５は、床パネル４１５の全幅にまたがることができる。底部プレート４３０をデッキ４２０に結合することによって、閉鎖片４４５を床パネル４１５に結合することができる。いくつかの実施形態では、底部プレート４３０を、床パネル４１５の根太（図４には図示せず）に結合することができる。いくつかの実施形態では、底部プレート４３０を、対向する端部部材（図４には図示せず）のうちの少なくとも１つに結合することができる。いくつかの実施形態では、底部プレート４３０はデッキ４２０と根太との間にある。いくつかの実施形態では、閉鎖片４４５は、これを引き込むことおよび延長することができるように、床パネル４１５にスライド可能に結合され得る。いくつかの実施形態では、閉鎖片４４５は、コンクリート４００を流し込む前に、床パネル４１５に結合され得る。閉鎖片４４５は、床パネル４１５の位置決めを容易にするために、引き込むことができる。床パネル４１５が位置決めされると、閉鎖片４４５を所望に応じて延長することができる。いくつかの実施形態では、閉鎖片４４５はＣチャンネルまで延長することができる。任意選択で、いくつかの実施形態では、断熱材料を、Ｃチャンネルと閉鎖片４４５との間に結合することができる。いくつかの実施形態では、断熱材料は鉱物綿であってよい。いくつかの実施形態では、断熱材料は布帛強化樹脂である。いくつかの実施形態では、床パネル４１５はＣチャンネルに結合される。Ｃチャンネルは次に、床パネル４１５を、外部鋼製躯体など、建築物の構造支持材に接続するために使用され得る。いくつかの実施形態では、閉鎖片４４５はバルコニーまで延長することができる。閉鎖片４４５を延長することにより、いくつかの実施形態では、床パネル４１５と別の構造との間の間隙を橋渡しすることができる。
【００４７】
いくつかの実施形態では、コンクリート４００をデッキ４２０の上に流し込むことができる。コンクリート４００は、いくつかの実施形態では、閉鎖片４４５の中に流れることができる。いくつかの実施形態では、コンクリートは、頂部プレート４５０、前部プレート４３５、および底部プレート４３０、ならびにハットチャンネル４２５によって画定される経路を部分的にまたは完全に満たし得る。いくつかの実施形態では、埋込材４４０は、コンクリート４００が、ハットチャンネル４２５の埋込材４４０によって占有される部分を満たすのを防止し得る。いくつかの実施形態では、垂直停止プレート４５５は、コンクリート４００が頂部プレート４５０の上側表面上に流れるのを防止し得る。コンクリート４００は、デッキ４２０の上方に配設され得る、頂部を形成するコンクリート製のスラブ４０５を形成し得る。頂部を形成するコンクリート製のスラブ４０５は、床パネル４１５の上方に配設されたユニットの、軽量コンクリート製の仕上げ床を形成し得る。いくつかの実施形態では、頂部を形成するコンクリート製のスラブ４０５にこて仕上げを行って、建築ユニットの仕上げ床を形成することができる。いくつかの実施形態では、仕上げ床の上側表面４１０は、垂直停止縁部４５５の頂縁部と同じ高さとすることができる。
【００４８】
いくつかの実施形態では、コンクリート４００をグラスファイバー絶縁材で置き換えることができる。いくつかの実施形態では、閉鎖片の中にも拡張し得る発泡フォーム絶縁材を、敷板４２０の上に設置することができる。いくつかの実施形態では、敷板４２０は合板であってよく、また、コンクリート４００を発泡体絶縁パネルおよび敷物で置き換えてよい。
【００４９】
図５Ａは、例示の床パネル５００の例示の敷板５０５と例示の根太５１０との間に結合された、引き込まれた位置にある例示の閉鎖片５２０を側面視した概略図である。図５Ａに示す様々な構成要素は単なる実施形態であり、構成要素の除去、構成要素の組み合わせ、および構成要素の置換を含め、他の変形形態が全て企図される。
【００５０】
図５Ｂは、例示の床パネル５００の例示の敷板５０５と例示の根太５１０との間に結合された、延長された位置にある例示の閉鎖片５２０を側面視した概略図である。図５Ｂに示す様々な構成要素は単なる実施形態であり、構成要素の除去、構成要素の組み合わせ、および構成要素の置換を含め、他の変形形態が全て企図される。
【００５１】
いくつかの実施形態では、延長された位置は、閉鎖片５２０の底部プレート５１５の長さによって限定され得る。いくつかの実施形態では、引き込まれた位置は、敷板５０５が閉鎖片５２０の中のハットチャンネル５２５に接触することによって制限され得る。いくつかの実施形態では、閉鎖片５２０は、コンクリートが流し込まれるまでは延長された位置と引き込まれた位置との間を自由に移動することができる。いくつかの実施形態では、閉鎖片５２０は、閉鎖片５２０を床パネル５００に結合する固定具（図示せず）が固定されるまでは、延長された位置と引き込まれた位置との間を自由に移動することができる。いくつかの実施形態では、閉鎖片５２０の底部プレート５１５は敷板５０５と根太５１０との間に押し込まれ、この結果、閉鎖片５２０が摩擦力によって床パネル５０５に結合される。
【００５２】
図６は、本発明に記載の少なくともいくつかの実施形態に従って配置構成された、例示のスライド可能な接続部６００を上面視した概略図を示す。図６は、閉鎖片の底部プレート６２０の一部分を示す。明確にするために、閉鎖片の付加的な要素は省略した。底部プレート６２０は、開口部６０５を含み、固定具６１０は開口部６０５を部分的に通過し得る。底部プレート６２０を、開口部６０５の長手に沿った方向６１５に移動することができる。図６に示す様々な構成要素は単なる実施形態であり、構成要素の除去、構成要素の組み合わせ、および構成要素の置換を含め、他の変形形態が全て企図される。
【００５３】
いくつかの実施形態では、閉鎖片の底部プレート１２０は、図６に例示するように、底部プレート１２０に長く狭い矩形の開口部６０５を有することができる。閉鎖片は、固定具６１０によって根太（図示せず）に結合することができる。いくつかの実施形態では、固定具６１０はボルトであってよい。ボルトは、底部プレート６２０の開口部６０５を通過するのに十分な細さとすることができる。但しボルトは、図６に例示するように、底部プレート６２０の開口部６０５よりも広い頭部を有することができる。このことにより、ボルト頭部が底部プレート６２０の開口部６０５を通り抜けるのを防止し得る。このことにより、底部プレート６２０の移動を、方向６１５に沿ったスライドに限定することができる。いくつかの実施形態では、スライド可能な接続部６００は、固定具６１０を締め付けて底部プレート６２０を根太に押し付けるように保持することによって、除去することができる。
【００５４】
図７は、本発明に記載の少なくともいくつかの実施形態に従って配置構成された、例示の床パネル７２５に結合された例示の閉鎖片７１５の概略図を示す。図７は、床パネル７２５に結合された閉鎖片７１５を示し、この床パネル７２５は鋼構造７００に結合される。閉鎖片７１５を、床パネル７２５の根太７３５と敷板７３０との間に結合された底部プレート７４５によって、床パネル７２５に結合することができる。閉鎖片７１５は、ハットチャンネル７４０を含み得る。床パネル７２５を、Ｃチャンネル７０５および床パネル７２５から延長した閉鎖片７１５に結合して、前部プレート７５０がＣチャンネル７０５に隣接するようにすることができる。頂部プレート７１０は、Ｃチャンネル７０５から垂直停止プレート７２０まで延長する。図７に示す様々な構成要素は単なる実施形態であり、構成要素の除去、構成要素の組み合わせ、および構成要素の置換を含め、他の変形形態が全て企図される。
【００５５】
いくつかの実施形態では、閉鎖片７１５は、１つの床パネル７２５の全幅にわたって延長する。いくつかの実施形態では、閉鎖片７１５は複数の床パネル７２５の幅にわたって延長する。いくつかの実施形態では、閉鎖片７１５は、床パネル７２５の幅の一部分のみに架かり得る。いくつかの実施形態では、閉鎖片７１５の長さは、設置されるべきレールの長さによって少なくとも部分的に決定され得る。
【００５６】
図８は、本発明に記載の少なくともいくつかの実施形態に従って配置構成された、例示のレール８００が閉鎖片８６０に結合された状態の、流し込まれたコンクリート８２５を伴う、例示の床パネル８３５に結合された例示の閉鎖片８６０を側面視した概略図である。図８は、固定具８０５によって閉鎖片８６０の頂部プレート８１０に結合された、例示のレール８００を示す。図８に示す様々な構成要素は単なる実施形態であり、構成要素の除去、構成要素の組み合わせ、および構成要素の置換を含め、他の変形形態が全て企図される。
【００５７】
レール８００は、鋼またはアルミニウムなどの金属材料を使用して実施され得る。いくつかの実施形態では、レール８００は、ポリマー製材料を使用して実施され得る。いくつかの実施形態では、レール８００は木材を使用して実施され得る。レール８００は、このレール８００の中のパネル（図示せず）の位置合わせおよび移動を容易にし得る。いくつかの実施形態では、パネルは、壁またはドアの可動要素であり得る。パネルには、窓ガラス、プラスチックシート、および／または要素の組み合わせを含めることができる。いくつかの実施形態では、いくつかのパネルは第１の材料で製作され、残りのパネルは第２の材料で製作される。いくつかの実施形態では、レール８００は、閉鎖片８６０の全幅に架かり得る。いくつかの実施形態では、レール８００は、垂直停止縁部８１５に隣接することができる。いくつかの実施形態では、レール８００の頂部は、仕上げ床８３０の上側表面８２０と面一とすることができる。いくつかの実施形態では、レール８００の頂部は、バルコニー、中庭、および／または他の外部表面の上側表面と面一とすることができる。いくつかの実施形態では、レール８００の頂部は、内部の床および外部表面の両方と面一とすることができる。このことにより、内部と外部との間でのレール８００を横切る移行が可能となり、車いすおよび／または障害をもつ人を案内するのがより容易となる。
【００５８】
埋込材８５０は、コンクリート８２５にドリルで穴を開けることなく、頂部プレート８１０へのレール８００の結合を容易にし得る。他の実施形態では、通常、埋込材８５０は、コンクリートにドリルで穴を開けることなく、コンクリート表面への様々な任意の建築構成要素の固着を容易にし得る。これらの建築構成要素には、たとえば、限定するものではないが、レール、レール敷設用材料、窓壁、装飾部品、またはこれらの組み合わせを含めることができる。埋込材８５０は、固定具８０５が確実に埋め込まれることを可能にし得る。固定具８０５は、いくつかの実施形態では、セルフタッピングねじとすることができる。いくつかの実施形態では、他の固定具の種類を使用することができる。いくつかの実施形態では、レール８０５を閉鎖片８６０に結合するために、複数の固定具８０５を使用することができる。
【００５９】
図９は、例示の方法９００を例示するフローチャートである。例示の方法は、ブロック９０５、９１０、および９１５のうちの１つまたは複数によって例示されるような、１つまたは複数の操作、機能、または動作を含み得る。
【００６０】
例示の処理は、「閉鎖片を床パネルに結合する」と記載されているブロック９０５で始まることができる。ブロック９０５の後に、「コンクリートを床パネルの上におよび閉鎖片の中に流し込む」と記載されているブロック９１０が続くことができる。ブロック９１０の後に、「レールを閉鎖片に結合する」と記載されているブロック９１５が続くことができる。
【００６１】
記載された例示の方法に含まれるブロックは、例示を目的としている。いくつかの実施形態では、ブロックを異なる順番で実行することができる。いくつかの実施形態では、様々なブロックを除去することができる。さらに他の実施形態では、様々なブロックを、追加のブロックに分割し、他のブロックで補足し、または１つに組み合わせてより少ないブロックにすることができる。ブロックの順番の変更、他のブロックへと分割されるまたは組み合わされるブロックの内容の変更等を含めて、これらの特定のブロックの他の変形例が企図される。いくつかの実施形態では、閉鎖片は床パネルに移動可能に結合することができ、また、閉鎖片の位置は、コンクリートが流し込まれる前に調整され得る。いくつかの実施形態では、閉鎖片の位置は、コンクリートが流し込まれた後でコンクリートが硬化してしまう前に調整され得る。
【００６２】
ブロック９０５には、「閉鎖片を床パネルに結合する」と記載されている。閉鎖片を、閉鎖片の底部プレートによって床パネルに結合することができる。底部プレートは、床パネルに結合するための固定具を受け入れるための、開口部を含み得る。いくつかの実施形態では、固定具は、閉鎖片が床パネルにスライド可能に結合できるように、開口部によって画定された通路に沿った閉鎖片の移動を可能にするように構成され得る。いくつかの実施形態では、方法９００は、閉鎖片を所望の位置へと引き込むことおよび延長することをさらに含み得る。いくつかの実施形態では、閉鎖片を床パネルに溶接することができる。いくつかの実施形態では、閉鎖片を床パネルにボルト留めすることができる。
【００６３】
ブロック９１０には、「コンクリートを床パネルの上におよび閉鎖片の中に流し込む」と記載されている。コンクリートは床パネルの上に流し込まれて、仕上げ床を形成し得る。コンクリートを床パネルのデッキの上に流し込むことができる。コンクリートは、閉鎖片の中に流れさせることができる。コンクリートは、閉鎖片を部分的にまたは完全に満たすことができる。いくつかの実施形態では、閉鎖片は、コンクリートが閉鎖片の頂部を越えて流れるのを防止するための、垂直停止縁部を含む。垂直停止縁部は、仕上げ床の縁部を画定し得る。
【００６４】
ブロック９１５には、「レールを閉鎖片に結合する」と記載されている。レールを、閉鎖片の上側表面に結合することができる。レールを、閉鎖片の中の埋込材の中に少なくとも部分的に埋め込まれる固定具によって、固定することができる。埋込材は、レールを閉鎖片に結合するために、コンクリートを通過できない固定具を使用することを可能にし得る。いくつかの実施形態では、コンクリートが硬化した後で、レールを閉鎖片に結合することができる。いくつかの実施形態では、コンクリートが硬化してしまう前に、レールを閉鎖片に結合することができる。いくつかの実施形態では、コンクリートが流し込まれてしまう前に、レールを閉鎖片に結合することができる。
【００６５】
いくつかの実施形態では、事前に組み立てられた床および天井パネルを得ることができる。いくつかの実施形態では、床および天井パネルは、建築現場とは異なる場所で組み立て済みであってもよいが、いくつかの実施形態では、その建築現場で組み立てられてもよい。いくつかの実施形態では、事前に組み立てられたパネルは、閉鎖片を含み得る。いくつかの実施形態では、閉鎖片は、後の時点で床および天井パネルに結合される。パネルは、複数の根太、およびこの複数の根太の上方に配設されかつこれらに取り付けられた波形の型枠用デッキを含み得る。いくつかの実施形態では、閉鎖片はデッキに結合される。いくつかの実施形態では、閉鎖片は１つまたは複数の根太に結合される。いくつかの実施形態では、閉鎖片はデッキと根太の両方に結合される。
【００６６】
床および天井パネルは、建築物の躯体に取り付けることができる。たとえば、床および天井パネルは、建築物に構造支持材を提供し得る外部鋼構造に取り付けることができる。一般に、１つの床および天井パネルまたは複数の床および天井パネルを、外部鋼構造などの建築物の躯体に取り付けるための、任意の機構を使用することができる。任意の種類の固定様式を一般に使用できる。
【００６７】
コンクリートを、床および天井パネル上にならびに閉鎖片の中に流し込むことができる。本明細書に記載するように、コンクリートを流し込むことにより、建築物の隔壁を形成することができ、この隔壁はいくつかの実施形態では建築物の１つの階全体にまたがり得る。このようにして、床および天井パネルならびに閉鎖片が所望の階のところに位置付けられた後で、コンクリートを建築物の階の完成した高さにおいて流し込むことができ、このことにより、その階におけるユニットの床を形成することができる。いくつかの実施形態では、スライド式パネル用のレールを、閉鎖片に結合することができる。いくつかの実施形態では、パネルは次いでレール内に設置され得る。パネルは、ドア、壁、および／または窓の要素であり得る。パネルは不透明なまたは透明な材料で製作されてよい。閉鎖片およびレールは、構造物の内部と外部との間の適切な移行を提供し得る。いくつかの実施形態では、外部はバルコニーおよび／または中庭を含み得る。
【００６８】
事前に組み立てられた床および天井パネルの実施形態は、とりわけ中層および高層の住居プロジェクトにおいて使用できる、床および天井のシステムを提供し得る。閉鎖片およびレールを設置されたパネルは、以下の建築基準、すなわち、防火基準、エネルギー基準、障害者基準、人命安全基準、および音響（衝撃および周囲の騒音伝達）基準のうちの１つまたは複数に適合するように構成され得る。いくつかの実施形態では、閉鎖片およびレールを有する事前に組み立てられた床および天井パネルは、防火、音響衝撃、エネルギー、および人命／安全基準を満たす、完全に一体化された二次組立体と見なすことができる。床および天井パネルでは、いくつかの実施形態では、電気的機能、防火機能、エネルギー絶縁機能、および遮音機能が完全に一体化され得る。床および天井パネルは、適用可能な建築基準によって設定された耐火等級、たとえば２時間の耐火等級を達成するように設計され得る。
【００６９】
本明細書に記載の床および天井パネルならびに閉鎖片は、現場を離れて工場または店舗内で製造することができ、またプロジェクトの工事現場に運搬して、建築物の構造躯体、たとえば構造外骨格に取り付けることができる。パネルおよび閉鎖片は、８フィート×２２フィートなど、様々な大きさで製造できる。建築物の床システムを完成させるために、より小さいインフィルパネルを、プロジェクトごとに事前に製造することができる。建築現場において、パネルは端壁、間仕切り壁（demising wall）、ユーティリティ壁、建築物の諸設備、またはこれらの任意の組み合わせに取り付けることができる。床および天井パネルは、床のシステム全体に対して支持を提供することができ、このシステムは、その領域に流し込まれて建築物のための構造上の隔壁を作り出す、頂部を形成するコンクリート製のスラブを含み得る。
【実施例】
【００７０】
例Ｉ
第１の非限定的な例では、長さ８フィートの１８ゲージ冷間圧延鋼製の閉鎖片を、幅８フィートの床パネルに結合することができる。閉鎖片は、設置された、２フィートの中央間隔で設置された、１８ゲージ冷間圧延鋼のハットチャンネルを含み得る。ハットチャンネルは、閉鎖片の頂部プレートの底部表面に隣接する、ハットチャンネルの長手に延びる厚さ１インチの発泡ポリスチレンフォームの条片を含み得る。床パネルは、軽量鋼製のフレームおよび複数の軽量の打ち抜き鋼製の根太を含み得る。根太は２フィートの中央間隔で離間され得る。フレームおよび根太は、深さ８インチとすることができる。フレームおよび根太は、長さ２２フィートとすることができる。波形の鋼製敷板を、フレームおよび根太にボルト留めして、床パネルの上側表面を形成することができる。閉鎖片を、敷板と根太との間にこの閉鎖片の底部プレートを押し込むことによって、床パネルに結合することができる。軽量コンクリートを床パネルの上に流し込んで、床スラブを形成することができる。コンクリートは、閉鎖片の中に流れ込んで、閉鎖片を実質的に満たすこともできる。コンクリートにこて仕上げを行い、閉鎖片の垂直停止プレートの頂縁部と等しい高さにすることができる。次いでコンクリートを硬化させることができる。陽極酸化アルミニウム製の窓壁レールを、閉鎖片の頂部プレート上に設置することができる。セルフタッピングねじは、アルミニウム製の窓レールを貫通することができ、またこれらのねじをハットチャンネル内の発泡ポリスチレンフォームの条片の中に部分的に埋め込むことができる。
【００７１】
例ＩＩ
第２の非限定的な例では、長さ８フィートの合板製の型枠用閉鎖片を、幅８フィートの床パネルに結合することができる。閉鎖片は、閉鎖片の長手に対して垂直な、２フィートの中央間隔で狭い空洞を画定する、木材条片を含み得る。狭い空洞は、閉鎖片の頂部板の底部表面に隣接してこの狭い空洞の長手に延びる、１インチの厚さの繊維セメント板の条片を含み得る。床パネルは、木材フレームおよび複数の木製の根太を含み得る。根太は、１６インチの中央間隔で離間され得る。フレームおよび根太は、１２フィートの長さとすることができる。合板製の敷板をフレームおよび根太にねじ留めして、床パネルの上側表面を形成することができる。閉鎖片を、敷板と根太との間にこの閉鎖片の底部板を押し込むことによって、床パネルに結合することができる。軽量コンクリートを床パネルの上に流し込んで、床スラブを形成することができる。コンクリートは、閉鎖片の中に流れ込んで、閉鎖片を実質的に満たすこともできる。コンクリートにこて仕上げを行い、閉鎖片の垂直停止ボードの頂縁部と等しい高さにすることができる。次いでコンクリートを硬化させることができる。木質ライスペーパー製パネルのレールを、閉鎖片の頂部板上に設置できる。ねじは、木質ライスペーパー製パネルのレールを貫通することができ、またこれらのねじを狭い空洞内の繊維セメント板の条片の中に部分的に埋め込むことができる。
【００７２】
例ＩＩＩ
第３の非限定的な例では、長さ８フィートの合板製の型枠用閉鎖片を、幅８フィートの床パネルに結合することができる。閉鎖片は、閉鎖片の長手に対して垂直な、２フィートの中央間隔の細長い木材ブロックを含み得る。床パネルは、木材フレームおよび複数の木製の根太を含み得る。根太は、１６インチの中央間隔で離間され得る。フレームおよび根太は、１２フィートの長さとすることができる。閉鎖片を、この閉鎖片の底部板を根太にねじ留めすることによって、床パネルに結合することができる。発泡フォームを根太同士の間に導入することができ、またこの発泡フォームは閉鎖片の中に拡張し閉鎖片を実質的に満たすことができる。発泡体は硬化することができ、合板の層をこの発泡体の上に設置することができる。詰物および敷物を合板の上に設置して、床パネルの上側表面を形成することができる。アルミニウム製の窓壁パネルのレールを、閉鎖片の頂部板上に設置することができる。ねじは、窓壁パネルのレールを貫通することができ、またこれらのねじを細長い木製ブロックの中に部分的に埋め込むことができる。
【００７３】
提供された例は説明のみを目的としており、本開示の範囲を限定するものと見なされるべきではない。例示の各実装形態は、都市部の多目的開発、低層住宅ユニット、および／または遠隔地域など、特定の環境に関して実用的である可能性がある。個々の要素の材料および寸法は、本開示の原理の範囲から逸脱することなく、以下の建築基準、すなわち、防火基準、エネルギー基準、障害者基準、人命安全基準、および音響（衝撃および周囲の騒音伝達）基準のうちの１つまたは複数に適合するように構成され得る。要素および／またはシステムは、所望に応じて、社会的規範、および／または宗教的規範に適合するようにも構成され得る。たとえば、材料、システム、方法、および／または装置は、管轄区域において採用されているような米国国際建築基準に適合するように構成され得る。
【００７４】
本開示は、本出願に記載の特定の例に関して限定されるものではなく、これらの例は、様々な態様の例示として意図されている。当業者には明らかであろうように、その趣旨および範囲から逸脱することなく、多くの修正形態および実例を製作することができる。本明細書に挙げた方法に加えて、本開示の範囲内にある機能的に等価な方法および装置が、先述の説明から当業者には明らかとなろう。そのような修正形態および実例は、添付の特許請求の範囲の範囲内にあることが意図されている。本開示は添付の特許請求の範囲の用語、ならびにそのような特許請求の範囲の等価物と認められるものの全範囲によってのみ、限定されるものである。本開示は、特定の方法、試薬、化合物、組成、または生物系に限定されるものではないことを理解されたい。これらは当然変化し得る。本明細書で使用される専門用語は、特定の例を記載することのみを目的としており、限定的であることを意図していないことも理解されたい。
【００７５】
本明細書における実質的に全ての複数形および／または単数形の用語の使用に対して、当業者は、状況および／または用途に適切なように、複数形から単数形に、および／または単数形から複数形に変換することができる。様々な単数形／複数形の置き換えは、理解しやすいように、本明細書で明確に説明することができる。
【００７６】
通常、本明細書において、特に添付の特許請求の範囲（たとえば、添付の特許請求の範囲の本体部）において使用される用語は、全体を通じて「オープンな（ｏｐｅｎ）」用語として意図されていることが、当業者には理解されよう（たとえば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。
【００７７】
導入される請求項で具体的な数の記載が意図される場合、そのような意図は、当該請求項において明示的に記載されることになり、そのような記載がない場合、そのような意図は存在しないことが、当業者にはさらに理解されよう。たとえば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む実施例に限定する、ということを示唆していると解釈されるべきではない（たとえば、「ａ」および／または「ａｎ」は、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう（たとえば、他の修飾語なしでの「２つの記載（ｔｗｏ  ｒｅｃｉｔａｔｉｏｎｓ）」の単なる記載は、少なくとも２つの記載、または２つ以上の記載を意味する）。
【００７８】
さらに、「Ａ、ＢおよびＣ、などの少なくとも１つ」に類似の慣例表現が使用されている事例では、通常、そのような構文は、当業者がその慣例表現を理解するであろう意味で意図されている（たとえば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（たとえば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。たとえば、句「ＡまたはＢ」は、「Ａ」または「Ｂ」あるいは「ＡおよびＢ」の可能性を含むことが理解されよう。
【００７９】
加えて、本開示の特徴または態様がマーカッシュグループによって記載される場合、当業者は、このことにより本開示がマーカッシュグループの任意の個々の要素または要素のサブグループによっても記載されることを認識するであろう。
【００８０】
当業者が理解するであろうように、書面による説明を提供することに関してなど、ありとあらゆる目的に関して、本明細書に開示する全ての範囲は、そのありとあらゆる可能な下位範囲および下位範囲の組み合わせも包含する。列挙された全ての範囲は、その同じ範囲が少なくとも二等分、三等分、四等分、五等分、十等分、等へと分解されることを、十分に記載しかつ可能にするものとして、容易に認識され得る。非限定的な例として、本明細書に記載の各範囲は、下３分の１、中３分の１、および上３分の１、等へと容易に分解することができる。同じく当業者が理解するであろうように、「最大」、「少なくとも」、「よりも大きい」「よりも少ない」、などのあらゆる用語は、記載された数を含み、かつ上で論じたように後から下位範囲へと分解できる範囲を指す。最後に、当業者が理解するであろうように、範囲はそれぞれの個々の要素を含む。したがって、たとえば、１〜３個の品目を有するグループとは、１、２、または３個の品目を有するグループを指す。同様に、１〜５個の品目を有するグループとは、１、２、３、４、または５個の品目を有するグループを指し、以下同様である。
【００８１】
本明細書に記載の主題は、他の様々な構成要素内に含まれる、またはそれらと接続される、様々な構成要素を例示する場合がある。描かれるそのような構造は単なる例であること、および、実際には同じ機能性を実現する多くの他の構造が実施され得るということを理解されたい。概念的な意味において、同じ機能性を実現する構成要素の任意の配置構成は、所望の機能性を実現するように効果的に「関連付けられる」。したがって、特定の機能性を実現するように組み合わされた本明細書中の任意の２つの構成要素は、構造または中間構成要素に関係なく所望の機能性が実現されるように互いに「関連付けられた」ものと見なすことができる。同様に、そのように関連付けられた任意の２つの要素は、所望の機能性を実現するように互いに「動作可能に接続され」ている、または「動作可能に結合され」ているものと見なすこともでき、また、そのように関連付けることのできる任意の２つの要素は、所望の機能性を実現するように互いに「動作可能に結合可能な」ものと見なすこともできる。動作可能に結合可能である具体的な例には、限定するものではないが、物理的に嵌合可能なおよび／もしくは物理的に相互作用する構成要素、ならびに／またはワイヤレスに相互作用可能なおよび／もしくはワイヤレスに相互作用する構成要素、ならびに／または論理的に相互作用するおよび／もしくは論理的に相互作用可能な構成要素を含む。
【００８２】
様々な態様および例を本明細書において開示したが、当業者には他の態様および例が明らかであろう。本明細書に開示した様々な態様および例は例示を目的としており、限定的であることを意図しておらず、その真の範囲と趣旨は以下の特許請求の範囲によって示される。
【図１Ａ】
2016536495.tif 000003
【図１Ｂ】
2016536495.tif 000004
【図１Ｃ】
2016536495.tif 000005
【図２】
2016536495.tif 000006
【図３】
2016536495.tif 000007
【図４】
2016536495.tif 000008
【図５Ａ】
2016536495.tif 000009
【図５Ｂ】
2016536495.tif 000010
【図６】
2016536495.tif 000011
【図７】
2016536495.tif 000012
【図８】
2016536495.tif 000013
【図９】
2016536495.tif 000014
【国際調査報告】
2016536495.tif 000015